(57)【要約】【課題】  連続する大量のデータ（コンテンツ）中に含まれる一部の情報を迅速に検索することを可能とする入力装置及びこれを用いたスクロール制御方法を提供する。【解決手段】  座標入力部２０に対しスライド操作を行うことよって低速スクロールを行っているときに、キー入力部３０からいずれかの操作キー３１に対しキー入力操作を行うと、前記低速スクロールがジャンプ動作又は高速スクロールに切り換えられる。このため、連続する大量のデータ中に含まれる一部の情報を迅速に検索することが可能となる。【選択図】図１
2007148927.tif 000002
【特許請求の範囲】
【請求項１】
第１の入力操作に基づき座標入力信号を出力する座標入力機構と、第２の入力操作に基づきキー入力信号を出力するキー入力機構とを有する入力装置であって、
前記座標入力信号に基づいて行われる低速スクロールを、その後に発生した前記キー入力信号に基づいて行われるキーイベントで補完するようにしたことを特徴とする入力装置。
【請求項２】
前記キーイベントは、ジャンプ動作又は高速スクロールであることを特徴とする請求項１記載の入力装置。
【請求項３】
前記キー入力機構には複数の操作キーが配列されており、前記操作キーが配列された位置に対応する方向にジャンプ動作又は高速スクロールさせられることを特徴とする請求項２に記載の入力装置。
【請求項４】
前記第２の入力操作に対する操作が繰り返し行われるほど、前記高速スクロールのスピードが段階的に増加又は減少するようにしたことを特徴とする請求項２又は３記載の入力装置。
【請求項５】
前記第１の入力操作が接触操作であり、第２の入力操作がキー入力操作であることを特徴とする請求項１ないし４のいずれか一項に記載の入力装置。
【請求項６】
前記第１の入力操作と前記第２の入力操作とが、同じ操作面を介して操作することが可能とされていることを特徴とする請求項１ないし５のいずれか一項に記載の入力装置。
【請求項７】
第１の入力操作に基づく座標入力を許容する座標入力機構と、第２の入力操作に基づくキー入力を許容するキー入力機構とを有する入力装置を用いたスクロール制御方法であって、
（ａ）前記第１の入力操作の有無を判定するステップと、
（ｂ）前記第１の入力操作に基づいて低速スクロールを実行するステップと、
（ｃ）前記第２の入力操作の有無を判定するステップと、
（ｄ）前記ステップ（ｂ）の実行中に前記第２の入力操作があったときには、これに対応する位置にジャンプ動作させるステップと、
を有することを特徴とするスクロール制御方法。
【請求項８】
第１の入力操作に基づく座標入力を許容する座標入力機構と、第２の入力操作に基づくキー入力を許容するキー入力機構とを有する入力装置を用いたスクロール制御方法であって、
（ａ）前記第１の入力操作の有無を判定するステップと、
（ｂ）前記第１の入力操作に基づいて低速スクロールを実行するステップと、
（ｃ）前記第２の入力操作の有無を判定するステップと、
（ｄ）エッジモーションの実行の有無を判定するステップと、
（ｅ）エッジモーションが実行状態にあり、且つ前記ステップ（ｂ）の実行中に前記第２の入力操作があったときには、前記低速スクロールから高速スクロールに切り換えるステップと、
を有することを特徴とするスクロール制御方法。
【発明の詳細な説明】
【技術分野】
【０００１】
本発明は、１つ操作パネル面から座標入力とキー入力の双方が可能な入力装置に係わり、特に操作性を向上させた入力装置及びこれを用いたスクロール制御方法に関する。
【背景技術】
【０００２】
下記の特許文献１には、タッチセンサアレイのセンシング領域が、中央部の内部ゾーンとその外側に位置する外部ゾーンの２つのゾーンに区切られており、ハードウェア的又はソフトウェア的な処理手段を用いることにより、操作中の指が内部ゾーンを越えて外部ゾーンに達したことを検知するエッジモーションの検出に関する発明が記載されている。
【０００３】
前記エッジモーション機能を用いることにより、連続する画面情報を任意の方向にスクロール操作することが可能となり、現在は表示画面上に表示されていない画面情報であっても表示することができるようになる。
【０００４】
また特許文献２には、スクロールキーに対する操作が「長押し」であると自動スクロールが実行され、更に「長押し」が継続するとその継続時間に応じてスクロール速度が上がるようにしたスクロール制御装置に関する発明が記載されている。
【特許文献１】特開２００５−１４９５３１号公報（第３０頁−第３３頁）
【特許文献２】特開２００３−１６２３５６号公報
【発明の開示】
【発明が解決しようとする課題】
【０００５】
ＷＥＢサイトのコンテンツなど連続する大量のデータを携帯端末の小さな表示画面で見るような場合には、画面をスクロールさせることが必要不可欠である。
【０００６】
しかし、上記特許文献１に記載の発明では、目的とする画面情報が現在の画面情報から遠く離れた位置にある場合には、その画面情報が表示されるまでの間、その方向に位置する前記外部ゾーンを連続して操作し続けることが必要とされるため、目的とする画面情報を迅速に表示させることができないという操作上の問題がある。
【０００７】
特に、エッジモーション機能の場合には、操作途中に一旦操作を中止すると操作を開始した画面に戻ることがある。この場合、最初から操作をやり直す必要があるとともに、これまで行った操作が無駄になるため、操作者に過度な負担を掛けるという問題が指摘されている。
【０００８】
また特許文献２に記載された発明においても、画面が自動スクロールを開始するまでには、キースイッチを所定時間継続して「長押し」を行った後に、更に継続して「長押し」し続けることが必要である。しかも画面が自動スクロールを開始した後、目的する画面情報に達するまでの間も待ち続ける必要があり、上記同様に迅速性に欠けるという問題がある。
【０００９】
本発明は上記従来の課題を解決するためのものであり、先に行った座標入力操作を、その後のキー入力操作で補完することにより、検索スピードが速く且つ操作性に優れた入力装置及びこれを用いたスクロール制御方法を提供することを目的としている。
【課題を解決するための手段】
【００１０】
本発明は、第１の入力操作に基づき座標入力信号を出力する座標入力機構と、第２の入力操作に基づきキー入力信号を出力するキー入力機構とを有する入力装置であって、
前記座標入力信号に基づいて行われる低速スクロールを、その後に発生した前記キー入力信号に基づいて行われるキーイベントで補完するようにしたことを特徴とするものである。
【００１１】
本発明では、接触操作による低速スクロールの実行中に、キー入力操作を行うと、より高度なスクロール機能が実行されるため、操作性及び利便性を高めることができる。
【００１２】
例えば、前記キーイベントは、ジャンプ動作又は高速スクロールであることが好ましい。
【００１３】
上記手段では、低速スクロールから任意の位置にジャンプ動作させること、および低速スクロールから高速スクロールの切り換えることができるため、連続する大量のデータ中に含まれる目的情報を迅速に探し出すことができる。
【００１４】
また前記キー入力機構には複数の操作キーが配列されており、前記操作キーが配列された位置に対応する方向にジャンプ動作又は高速スクロールさせられることが好ましい。
【００１５】
上記手段では、前記操作キーを十字キーとして利用することができ、操作者が希望する方向へ自由にジャンプ又は高速スクロールさせることができる。
【００１６】
さらには、前記第２の入力操作に対する操作が繰り返し行われるほど、前記高速スクロールのスピードが段階的に増加又は減少するようにしたものが好ましい。
【００１７】
上記手段では、高速スクロールのスピードを自由に変更することができるため、特に連続する大量データの中から所望のデータを探し出す場合における利便性を高めることができる。
【００１８】
上記において、前記第１の入力操作が接触操作であり、第２の入力操作がキー入力操作であることが好ましい。
【００１９】
上記手段では、第１の入力操作と第２の入力操作とを明確に区別することができるため、操作者による誤操作や機器側での誤検出を起き難くすることができ、快適な操作性を確保することできる。
【００２０】
さらには、前記第１の入力操作と前記第２の入力操作とが、同じ操作面を介して操作することが可能とされていることが好ましい。
【００２１】
上記手段では、入力装置を持ち変える必要がないため、操作性を向上させることができる。特に、このような入力装置が携帯電話機に搭載される場合には、前記第２の入力操作をダイヤル用の操作ボタンとして兼用することが可能となるため、専用のキー入力機構を不要とすることができる。
【００２２】
また本発明は、第１の入力操作に基づく座標入力を許容する座標入力機構と、第２の入力操作に基づくキー入力を許容するキー入力機構とを有する入力装置を用いたスクロール制御方法であって、
（ａ）前記第１の入力操作の有無を判定するステップと、
（ｂ）前記第１の入力操作に基づいて低速スクロールを実行するステップと、
（ｃ）前記第２の入力操作の有無を判定するステップと、
（ｄ）前記ステップ（ｂ）の実行中に前記第２の入力操作があったときには、これに対応する位置にジャンプ動作させるステップと、
を有することを特徴とするものである。
【００２３】
上記発明では、低速スクロールの実行中に前記第２の入力操作に対応する位置にページジャンプさせることができるため、目的とする情報の検索時間を短縮することができる。
【００２４】
また本発明は、第１の入力操作に基づく座標入力を許容する座標入力機構と、第２の入力操作に基づくキー入力を許容するキー入力機構とを有する入力装置を用いたスクロール制御方法であって、
（ａ）前記第１の入力操作の有無を判定するステップと、
（ｂ）前記第１の入力操作に基づいて低速スクロールを実行するステップと、
（ｃ）前記第２の入力操作の有無を判定するステップと、
（ｄ）エッジモーションの実行の有無を判定するステップと、
（ｅ）エッジモーションが実行状態にあり、且つ前記ステップ（ｂ）の実行中に前記第２の入力操作があったときには、前記低速スクロールから高速スクロールに切り換えるステップと、
を有することを特徴とするものである。
【００２５】
上記発明では、スクロールスピードを低速から高速に変更することができる。このため、本発明によって目的とする情報を迅速に検索することができる。
【発明の効果】
【００２６】
本発明では、操作性に優れた入力装置を提供することができる。
また、例えば連続する大量データに含まれる一部の情報（小領域）を迅速に検索することを可能とする入力装置及びこれを用いたスクロール制御方法を提供することができる。
【発明を実施するための最良の形態】
【００２７】
図１は入力装置を備えたスクロール制御装置の概略を示すブロック構成図である。
図１に示すスクロール制御装置（「表示画面制御装置」ともいう）１０は、座標入力部２０と少なくとも１以上の操作キー３１を備えたキー入力部３０とからなる入力装置を備えたものとして構成されている。
【００２８】
前記座標入力部２０は、指（ペンなどでもよい。）による入力操作、すなわち前記指が触れた操作面（ケース表面）３０Ａ上の任意の位置情報（Ｘ位置情報およびＹ位置情報）を検出することが可能なパネル型のポインティングデバイスで形成されている。
【００２９】
なお、前記座標入力部２０としては、例えば静電容量方式、抵抗膜方式、赤外線方式、超音波方式等が存在するが、いずれの方式であってもよい。
【００３０】
前記キー入力部３０は、例えば操作面３０Ａ上に押圧自在に設けられた１以上の機械接点式のキースイッチ（図示せず）と操作キー３１などで形成されており、各操作キーの表面（キートップ）には操作内容を示す表示マーク（文字、記号または図形など）が印刷されている。操作キー３１を押し込むキー入力操作を行うことにより、キートップに表示されている内容に対応するデータを出力することができるようになっている。なお、前記座標入力部２０とキー入力部３０とは、例えば図示しない携帯電話機（携帯端末）などのケース内に板厚方向に積層された状態で収納される。
【００３１】
以下の説明においては、図１に示す複数の操作キー３１のうち、表示マーク「５」が付された操作キー３１を中央キー３１Ｃとし、その右（Ｘ１）側に設けられた表示マーク「６」が付された操作キー３１を右キー３１Ｒ、左（Ｘ２）側に設けられた表示マーク「４」が付された操作キー３１を左キー３１Ｌ、前（Ｙ１）側に設けられた表示マーク「２」が付された操作キー３１を前キー３１Ｆ、後（Ｙ２）側に設けられた表示マーク「８」が付された操作キー３１を後キー３１Ｂとする。
【００３２】
なお、以下に示す「第１の入力操作」とは、主として前記座標入力部２０に対して行われる接触を伴う操作（接触操作）であって、指が操作面３０Ａに接触したときの状況（内容）の違いにより、例えば指が操作面３０Ａ上に所定の時間以上置かれた状態を意味するタッチ操作、短時間だけ触れた状態を意味するタップ操作、指が前記操作面３０Ａ上を移動した状態を意味するスライド操作などがある。また「第２の入力操作」とは、主としてキー入力部３０に対して行われるものであり、操作キー３１を押圧するキー入力操作であることを意味する。
【００３３】
図１に示すように、スクロール制御装置１０は座標入力処理部４０とキー入力処理部５０とを有している。
【００３４】
前記座標入力処理部４０は、前記座標入力部２０から出力される位置情報（Ｘ位置情報およびＹ位置情報）をデジタル変換処理するとともに、これらを平面座標信号（Ｘ座標信号およびＹ座標信号）に変換した結果である座標入力信号Ｓ１を制御部６１に通知する機能を有する。前記座標入力部２０と前記座標入力処理部４０とは座標入力機構を構成している。
【００３５】
またキー入力処理部５０は、操作キー３１を介してキースイッチが押圧されたことを検知すると、その検知結果であるキー入力信号Ｓ２を制御部６１に通知する機能を有する。キー入力部３０とキー入力処理部５０とはキー入力機構を構成している。
【００３６】
スクロール制御装置１０は、上記の他にも例えばプログラム格納部６２、メモリ６３、外部の基地局との通信を行って実際に電話機能及びメールやＷＥＢページの取得処理を行う通信処理部６４、画像表示回路６５および表示部６６などを有している。
【００３７】
前記制御部６１は、例えば前記座標入力処理部４０や通信処理部６４を用いた各種処理動作の制御、前記座標入力信号Ｓ１やキー入力信号Ｓ２からの入力などに従う画像表示などを行う。
【００３８】
前記プログラム格納部６２にはオペレーティングシステムと各種のプログラムが記憶されており、前記制御部６１の要求に応じて必要なプログラムを提供して所定の動作処理を行わせる。すなわち、前記プログラム格納部６２には、前記座標入力信号Ｓ１に基づいて実施される座標入力イベント、および前記キー入力信号Ｓ２に基づいて実施されるキー入力イベントを実行するための各種プログラムが格納されている。
【００３９】
前記イベント用の各種プログラムとしては、例えば座標入力信号Ｓ１に応じて前記表示部６６上でカーソル（ポインタ）を表示し、且つ移動させるためのカーソルプログラム、あるいは前記座標入力信号Ｓ１に応じて画面を低速で連続的にスクロール移動させる低速スクロールプログラム又は高速で連続的にスクロール移動させる高速スクロールプログラム、さらには前記キー入力信号Ｓ２に応じて前記画面を所定の位置まで一気に移動させるジャンプ動作プログラム、カーソル（ポインタ）が画面のエッジに達したときにも続けてスクロールを実行させるエッジモーションプログラム、さらには外部との電話・メール・インターネットなどの各機能を実行するためのプログラム、メールやＷＥＢサイト上の大量のデータ（例えばテキスト、静止画、動画などのコンテンツ）を表示部６６に表示させるためのプログラム、前記キー入力信号Ｓ２に対応する表示内容をメモリから取り出して前記表示部６６に表示させるためのプログラム、さらにはアドレス管理プログラムやスケジュール管理プログラムなどが用意されている。
【００４０】
前記メモリ６３は、前記各種のプログラムを実施するのに必要な作業エリアを確保する機能、あるいは取得したメールやＷＥＢページといったコンテンツに関するデータを蓄える機能、さらにはアドレスデータやスケジュールデータなど各種のデータを記憶する機能を有している。
【００４１】
次に、上記入力装置を備えたスクロール制御装置の動作の一例を、図２、図３、図４に示す図面を参照しつつ説明する。
【００４２】
図２は連続する大量のデータの第１の例として地図情報、図３は本発明の第１の実施の形態として低速スクロール中にジャンプ動作を行わせる場合のフローチャート、図４は本発明の第２の実施の形態として低速スクロールから高速スクロールに移行させる場合のフローチャートである。
【００４３】
例えば、上記スクロール制御装置を搭載した携帯端末が、連続する大量データとして任意のＷＥＢサイトから図２に示すような地図情報データ（コンテンツ）を取得して表示する場合について説明する。
【００４４】
前記のような地図情報データＭは、前記通信処理部６４を介して取得することにより、前記メモリ６３内に記憶される。
【００４５】
なお、図２では地図情報データＭの全体がこのＷＥＢサイトに含まれる大量データであり、その内側に小さな四角で囲まれた小領域Ａ０、Ａ１、Ａ２、Ａ３、Ａ４などが前記表示部６６を用いて表示することが可能なデータ量を示している。
【００４６】
制御部６１は、メモリ６３内に記憶されている地図情報データＭから、要求に応じてメモリ６３内の作業エリア上に一の小領域を呼び出す。そして、この作業エリア上に呼び出された小領域が、前記画像表記回路６５を介して前記表示部６６に表示される。
【００４７】
以下においては、前記作業エリア上に中央部に相当する小領域Ａ０が呼び出されており、この小領域Ａ０が前記表示部６６に表示されているものとする。
【００４８】
（１）低速スクロール中にジャンプ動作を行わせる場合（第１の実施の形態）
図２に示す小領域Ａ０が前記表示部６６に表示されている状態を初期状態とする（ＳＴ１）。
【００４９】
ＳＴ２では、第１の入力操作として前記座標入力信号Ｓ１の有無のチャックを行う（「先のチェック」）。すなわち、操作面３０Ａ上に指が置かれると、前記座標入力機構を構成する座標入力処理部４０から前記指の位置を示す座標入力信号Ｓ１が制御部６１に通知されるが、制御部６１は前記座標入力処理部４０から第１の入力操作として座標入力信号Ｓ１の通知を受けたか否かについてのチェックを行う。そして、通知を受けた「ＹＥＳ」の場合には前記第１の入力操作があったものとして次のＳＴ３に進む。一方、通知を受けない「ＮＯ」の場合には、未だ第１の入力操作が行われていないものとして前記初期状態（ＳＴ１）に戻され、再び前記座標入力処理部４０からの通知（座標入力信号Ｓ１）を待つ（ＳＴ２）という動作が、前記通知があるまで繰り返される。
【００５０】
ＳＴ３では、前記カーソルプログラム及び低速スクロールプログラムなどが起動実行させられる（第１の入力操作実行）。前記カーソルプログラムが起動させられることにより、前記指の位置に対応する画面上の位置にカーソルが表示される。
【００５１】
また座標入力イベントとしての低速スクロールプログラムも起動させられるが、指が置かれただけの情報では、いずれの方向にスクロールさせるか不明である。このため、前記第１の入力操作に基づく座標入力信号Ｓ１だけでは、スクロールが開始されることはない。
【００５２】
次のＳＴ４では、キー入力部３０を介しての第２の入力操作の有無についてのチェックが行われる。すなわち、キー入力部３０に設けられたいずれかの操作キー３１が操作されると、その情報を示すキー入力信号Ｓ２が前記キー入力処理部５０から制御部６１に通知される。制御部６１は前記キー入力処理部５０から通知されたキー入力信号Ｓ２の内容をチェックすることにより、いずれの操作キー３１に対して操作が行われたのかについての判定を行う。
【００５３】
このとき、いずれかの操作キー３１に対する操作が行われ、前記制御部６１が前記キー入力処理部５０からキー入力信号Ｓ２の通知を受けて「ＹＥＳ」と判定した場合には前記第２の入力操作があったものとして次のＳＴ５に進む。
【００５４】
一方、前記制御部６１は通知を受けていない（操作キー３１に対する操作が行われていない）「ＮＯ」と判定した場合には、未だ第２の入力操作が行われていないものとして前記初期状態（ＳＴ１）に戻される。そして、再び前記ＳＴ２で座標入力信号Ｓ１の有無のチャック（「次のチェック」）が行われ、前記ＳＴ２で「ＹＥＳ」の場合には前記ＳＴ３を介して、ＳＴ４において再び第２の入力操作として前記キー入力信号Ｓ２が発生しているか否かについてのチェックが行われる。そして、前記制御部６１はキー入力信号Ｓ２を受けた「ＹＥＳ」の場合には前記第２の入力操作があったものとして次のＳＴ５に進む。
【００５５】
ところで、前記ＳＴ２において、前記「次のチェック」として検出された第１の入力操作の座標入力信号Ｓ１の内容が、それよりも前に「先のチェック」として検出された第１の入力操作の座標入力信号Ｓ１の内容と異なる場合には、前記「先のチェック」から前記「次のチェック」までの間に指が操作面３０Ａ上で移動したことになる。このため、前記「先のチェック」時の座標入力信号Ｓ１の内容と前記「次のチェック」時の座標入力信号Ｓ１の内容とを用いることにより、指の移動方向を演算することが可能である。
【００５６】
このため、「次のチェック」以降のＳＴ３において、「先のチェック」の際に起動されていた前記カーソルプログラムにより前記指の移動方向を求め、前記カーソルはここで求めた方向に移動させられる。そして、例えば図２においてＸ１方向に移動したカーソルが小領域内のエッジ（端部）に到達すると、前記カーソルはこれ以上前記指の移動方向に移動することができなくなる。このとき、前記低速スクロールプログラムが実行され、前記画面（小領域）が地図データＭ上を所定のスピード（第１のスピード又は初期スピードｖ１）で前記指の移動方向にスクロール移動させられる（低速スクロール）。
【００５７】
すなわち、例えば操作面３０Ａ上にタッチした指をＸ１方向にそのままスライドさせると、最初にカーソルＫが小領域Ａ０内をＸ１方向に移動させられ、前記カーソルＫが前記表示部６６のエッジ（小領域Ａ０のエッジ）に到達する。
【００５８】
そして、指をそのまま継続してＸ１方向に移動させると、または指を操作面３０Ａ上から一旦離した後、再び操作面３０Ａ上に指を置くとともにＸ１方向にそのままスライドさせると、前記カーソルＫは前記表示部６６のエッジに留まるものの前記小領域Ａ０だけがＸ１方向に画面スライドする低速エッジモーションが実行される。さらに続けて同じような動作（指をＸ１方向にスライドさせる動作）を繰り返し行うと、前回の画面スライドに続いて同じような画面スライドが行われ、画面をＸ１方向に連続的に順送りさせる低速スクロールが実行される。そして、このような動作をＸ１方向に繰り返し繰り返し行うと、前記表示部６６には地図情報データＭ内のＸ１方向の端部に位置する小領域Ａ１を最終的に表示せることができる。
【００５９】
なお、このような座標入力イベントとしての低速スクロールは、Ｘ１方向に限られるものではなく、指をＸ２方向、Ｙ１方向またはＹ２方向にそれぞれスライドさせることにより、同様の画面スクロールを行うことが可能である。
【００６０】
前記ＳＴ４において、第２の入力操作として前記キー入力信号Ｓ２が発生している場合にはＳＴ５に進むが、このＳＴ５では前記キー入力信号Ｓ２の判定を行う。
【００６１】
ＳＴ５では前記キー入力信号Ｓ２の内容から第２の入力操作があった操作キー３１を特定（入力場所の特定）し、ＳＴ６ではジャンプ動作プログラムを呼び出して実行する（キーイベント）。
【００６２】
前記キーイベントとしてのジャンプ動作プログラムが実行されると、表示部６６の表示位置がキー入力信号Ｓ２の内容に対応する位置まで一気に移動させることが可能とされている。
【００６３】
このとき、前記キーイベントとしてのジャンプ動作プログラムとしては、現在表示されている小領域を基準として相対的に移動させる相対移動プログラムと、現在表示されている小領域に関係なく予め対応付けられている小領域に移動させる絶対移動プログラムとがある。
【００６４】
前記ジャンプ動作プログラムが相対移動プログラムの場合には、例えば、最初に前記表示部６６に小領域Ａ３が表示されている場合において、前記ＳＴ４における第２の操作入力として表示マーク「６」が付された右キー３１Ｒが操作された場合には、小領域Ａ３から相対的に見て右（Ｘ１）方向に位置する小領域Ａ５が前記表示部６６に表示され、また表示マーク「８」が付された後キー３１Ｂが操作された場合には、小領域Ａ３から相対的に見て後（Ｙ２）方向に位置する小領域Ａ０が前記表示部６６に表示され、続けて後キー３１Ｂが操作された場合には、小領域Ａ５から相対的に見て後（Ｙ２）方向に位置する小領域Ａ４が前記表示部６６に表示される。
【００６５】
なお、最初に前記表示部６６に小領域Ａ３が表示されている場合において、表示マーク「５」が付された中央キー３１Ｃが操作された場合にはそのままの表示状態（小領域Ａ３が表示される状態）が維持される。また表示マーク「２」が付された前キー３１Ｆが操作された場合にも小領域Ａ３よりも前（Ｙ１）方向の地図情報データＭは存在しないのでそのままの表示状態（小領域Ａ３が表示される状態）が維持される。あるいはインターネットによる通信が再開され、新たな地図情報データＭを読み込むようにしてもよい。
【００６６】
前記ジャンプ動作プログラムが絶対移動プログラムの場合には、最初に前記表示部６６に表示されている小領域がいずれかであるかにかかわらず、予め対応付けられている小領域が表示される。例えば、前記ＳＴ４における第２の操作入力として表示マーク「５」が付された中央キー３１Ｃが操作された場合には前記表示部６６には小領域Ａ０が表示され、表示マーク「６」が付された右キー３１Ｒが操作された場合には前記表示部６６には小領域Ａ１が表示され、表示マーク「４」が付された左キー３１Ｌが操作された場合には前記表示部６６には小領域Ａ２が表示され、表示マーク「２」が付された前キー３１Ｆが操作された場合には前記表示部６６には小領域Ａ３が表示され、表示マーク「８」が付された後キー３１Ｂが操作された場合には前記表示部６６には小領域Ａ４が表示される。
【００６７】
なお、絶対移動プログラムの場合には、操作キー３１と小領域とが一対一で対応する。このため、その他の小領域Ａ５、Ａ６、Ａ７およびＡ８については、表示マーク「３」、「１」、「９」、「７」が付された操作キー３１をそれぞれ割り当てておくことが好ましい。
【００６８】
以上のように、第１の実施の形態では、第１の操作入力を行うことにより低速スクロールを実行させることができる（座標入力イベント）。
【００６９】
さらに第１の入力操作に基づく座標入力イベントである低速スクロールを、その後に行われた前記第２の入力操作に基づくキーイベントであるジャンプ動作で補完することにより、目的とする所定の小領域に大きくジャンプ動作させることができる。このため、操作者は目的とする地図（小領域）を迅速に取得すること、即ち迅速な検索が可能となる。
【００７０】
しかも、前記第１の入力操作と前記第２の入力操作とが、同じ操作面を介して操作することができるため、操作性を向上させることができる。
【００７１】
なお、前記第２の入力操作の後に、前記第１の入力操作を許容させるようにすると、大きくジャンプ動作した後の位置から低速スクロールに切り換えることができ、目的とする地図（小領域）を確実に取得することが可能となり、さらに操作性を向上させることができる。
【００７２】
（２）低速スクロールから高速スクロールに移行させる場合（第２の実施の形態）
図４に示すように、第２の実施の形態中のＳＴ１１〜ＳＴ１４は上記第１の実施の形態におけるＳＴ１〜ＳＴ４と同様である。このため、第２の実施の形態ではＳＴ１５以降から説明する。なお、ＳＴ１１〜ＳＴ１４により、画面は座標入力イベントである低速スクロール状態及び低速エッジモーション状態にある。
【００７３】
ＳＴ１５ではキーイベントとしての高速エッジモーションプログラムが実行状態にあるか否かについての判定が行われる。
【００７４】
ここで、高速エッジモーションプログラムが実行状態にある「ＹＥＳ」の場合には、エッジモーション速度可変が行われ（ＳＴ１６）、実行状態にない「ＮＯ」の場合には高速エッジモーションプログラムが呼び出されアクティブ状態に設定される（ＳＴ１７）。
【００７５】
前記ＳＴ１６では、ＳＴ１４における第２の入力操作（キー入力操作）に基づいてエッジモーションのスピードが変更させられる。
【００７６】
キーイベントとしての高速エッジモーションプログラムが実行されると、例えば、前記第２の入力操作が、表示マーク「６」が付された右キー３１Ｒに対するものであった場合には、画面だけがＸ１方向に前記低速スクロールの第１のスピード（初期スピード）ｖ１よりも早い所定の第２のスピードｖ２で連続的にスクロール移動させられる高速エッジモーションに設定される。
【００７７】
なお、先の操作に続いて同様の前記右キー３１Ｒに対する操作が行われた場合には、前記第２のスピードｖ２よりも早い第３のスピードｖ３でＸ１方向にスクロール移動させられ、さらに続けて前記右キー３１Ｒに対する操作が行われた場合には前記第３のスピードｖ３よりも早い第４のスピードｖ４でＸ１方向にスクロール移動させられるというように、右キー３１Ｒが操作されるたびにスクロール移動が段階的に早まるように設定しておくような高速エッジモーションプログラムであってもよい。
【００７８】
さらには、前記第２の入力操作として、例えば右キー３１Ｒと反対側となる表示マーク「４」が付された左キー３１Ｌに対する操作であった場合には、前記第４のスピードｖ４から前記第３のスピードｖ３に減速させるようにしてもよい。さらに中央キー３１Ｃが操作された場合には、いずれのスクロール移動速度にあっても前記第１のスピード（初期スピード）ｖ１に戻すようにしてもよい。
【００７９】
なお、第２の入力操作として、前記表示マーク「４」が付された操作キー３１を左キー３１Ｌが操作された場合にはＸ２方向に、前記表示マーク「２」が付された前キー３１Ｆが操作された場合にはＹ１方向に、前記表示マーク「８」が付された後キー３１Ｂが操作された場合にはＹ２方向に、それぞれ第１のスピードｖ１でスクロール移動させられる、そして、同様の操作が繰り返されたびに、前記スクロールスピードが段階的に増加させられる。
【００８０】
以上のように、第２の実施の形態では、第１の操作入力を行うことにより低速エッジモーション状態において低速スクロールさせることができる（座標入力イベント）。
【００８１】
さらに前記第１の操作入力に続いて第２の操作入力を行うことにより、座標入力イベントである低速スクロールをキーイベントである高速スクロールで補完し、スクロールスピードを高速化することができため、操作者は目的とする地図（小領域）を迅速に取得すること、即ち迅速な検索ができる。
【００８２】
しかも、前記第１の入力操作と前記第２の入力操作とが、同じ操作面を介して操作することができるため、操作性を向上させることができる。
【００８３】
なお、前記第２の入力操作の後に、前記第１の入力操作を許容させるようにすると、高速移動した先で低速のスクロール移動に切り換えることが可能となる。よって、より目的とする地図（小領域）を探し易くすることでき、さらに操作性を向上させることが可能となる。
【００８４】
次に、大量データとして他の例を用いた場合について説明する。図５は第２の例としてアドレス管理プログラム中の一画面、図６Ａは第３の例としてスケジュール管理プログラムの最初の一画面、図６Ｂはスケジュール管理プログラムとして図６Ａの画面に続く次の一画面を示している。
【００８５】
前記メモリ６３には大量のデータとして、例えば数百ないしは数千人分のアドレスデータ（氏名、自宅や勤務先の住所、電話番号、生年月日、メールアドレス、ＦＡＸ番号、備考等のデータ）、およびスケジュールデータが記憶可能とされている。
【００８６】
前記制御部６１は、操作者により操作面上に設けられている所定の操作キー３１、あるいは別途設けられたアドレス釦やカレンダー釦（いずれも図示せず）が押されると、前記アドレス管理プログラム又はスケジュール管理プログラムを起動実行させる。
【００８７】
このとき、前記制御部６１は、前記アドレス管理プログラムが起動された場合には、メモリ６３内に記憶されている大量のアドレスデータから所定のデータ、例えば図５に示すように５０音の「な」行に記録されているデータのうち最初の1０人分の氏名を前記メモリ６３内の作業エリア上に呼び出して前記表示部６６に表示する。また前記制御部６１は、スケジュール管理プログラムが起動された場合には、メモリ６３内に記憶されているスケジュールデータから、例えば図６Ａに示すような操作日の属する月のカレンダー１月分を前記メモリ６３内の作業エリア上に呼び出して前記表示部６６に表示する。
【００８８】
操作面上に置かれた指が移動されて、第１の入力操作の実行に入ると（ＳＴ３）、上記同様に前記カーソルプログラム及び低速スクロールプログラムなどが起動実行される。前記カーソルプログラムが起動させられることにより、画面上の前記指の位置に対応する位置にカーソルＫが表示される。
【００８９】
このとき、例えば前記操作面３０Ａ上で指を図示Ｙ２方向に摺動させると、カーソルＫはＹ２方向に移動させられる。カーソルＫが停止した位置で例えば決定ボタンを押すと、前記アドレス管理プログラム起動時にはその位置に表示されている氏名データに対応するアドレスデータを示す画面（図示せず）が表示され、スケジュール管理プログラム起動時にはその位置に表示されている日付データに対応するスケジュールデータ画面が表示される（図６Ｂ参照）。
【００９０】
また前記Ｙ２方向に移動したカーソルＫが表示画面のエッジに到達すると、前記カーソルＫはこれ以上前記指の移動方向に移動することができなくなる。このため、前記低速スクロールプログラムが実行され、前記画面が上方にスクロールさせられ、最下段に続く新たなデータが表示される。すなわち、アドレス管理プログラムが起動している例では、前記表示部６６の最下段の表示されている氏名データに続く次の氏名データが順番に表示される一方で、最上段に位置する氏名データが順番に表示部６６のエリアの外に消えていく。
【００９１】
またスケジュール管理プログラムが起動している例では、例えば前記表示部６６に表示されていない翌月の日付データが第１週から週単位で新たに表示される一方で、今月（当該月）の日付データが第１週から週単位で徐々に前記表示部６６のエリアの外に消えていく。なお、このときのスクロールは、第１のスピード又は初期スピードｖ１からなる低速スクロールである。
【００９２】
この状態から第２の入力操作として、いずれかの操作キー３１に対する操作が行われると、制御部６１は前記ジャンプ動作プログラム又は前記高速エッジモーションプログラムを呼び出して所定のキーイベントを実行する（ＳＴ６）。
【００９３】
前記キーイベントとしてのジャンプ動作プログラムが実行されており、例えば後キー３１Ｂが操作されると、表示部６６の表示位置がキー入力信号Ｓ２の内容に対応する位置に移動させられる。例えば、前記アドレス管理プログラム起動時にあっては、「な」行の最後尾の氏名データに一気にジャンプ移動させられ、また前記スケジュール管理プログラム起動時にあって、表示部６６には操作日の属する年の最後の月（１２月）が表示される。
【００９４】
また前記キーイベントとしての高速エッジモーションプログラムが実行されている場合には第１のスピードよりも速いスピードでスクロールが実行され、例えば、前記アドレス管理プログラム起動時にあっては、前記表示部６６の最下段の表示されている氏名データに続く次の氏名データが順次高速スクロールされ、また前記スケジュール管理プログラム起動時にあっては翌月以降の日付データが週単位で順次高速スクロールされる。
【００９５】
このように、第２及び第３の例においても、第１の操作入力を行うことにより低速エッジモーション状態において低速スクロールさせることができ、さらに続く第２の操作入力を行うことにより、キーイベントであるジャンプ動作又は高速スクロールで補完し他のデータを表示させるスピードを高速化することができる。このため、操作者は目的とするアドレスデータ又はスケジュールデータを迅速に取得することが可能となる。
【００９６】
上記実施の形態では、低速スクロールからジャンプ動作に切り換える形態と、速スクロールから高速スクロールに切り換える形態とについて説明したが、その他高速スクロールからジャンプ動作に切り換えるようにすると、さらに迅速な検索が可能となる。
【００９７】
また上記実施の形態では、連続する大量データの例として地図情報データＭ、アドレスデータ、スケジュールの場合を例示して説明したが、本発明はこれに限られるものではない。
【図面の簡単な説明】
【００９８】
【図１】入力装置を備えたスクロール制御装置の概略を示すブロック構成図、
【図２】連続する大容量コンテンツの一例としての地図情報、
【図３】本発明の第１の実施の形態として低速スクロール中にジャンプ動作を行わせる場合のフローチャート、
【図４】本発明の第２の実施の形態として低速スクロールから高速スクロールに移行させる場合のフローチャート、
【図５】第２の例としてアドレス管理プログラム中の一画面、
【図６Ａ】第３の例としてスケジュール管理プログラムのトップ画面、
【図６Ｂ】スケジュール管理プログラムとして図６Ａの画面に続く次の一画面、
【符号の説明】
【００９９】
１０  スクロール制御装置
２０  座標入力部（座標入力機構）
３０  キー入力部（キー入力機構）
３０Ａ  操作面
３１  操作キー
３１Ｃ  中央キー
３１Ｒ  右キー
３１Ｌ  左キー
３１Ｆ  前キー
３１Ｂ  後キー
４０  座標入力処理部（座標入力機構）
５０  キー入力処理部（キー入力機構）
６１  制御部
６２  プログラム格納部
６３  メモリ
６４  通信処理部
６５  画像表示回路
６６  表示部
Ｋ  カーソル（ポインタ）
Ｓ１  座標入力信号
Ｓ２  キー入力信号
Ａ０，Ａ１，Ａ２，Ａ３，Ａ４，Ａ５，Ａ６，Ａ７，Ａ８  小領域
【図１】
2007148927.tif 000003
【図２】
2007148927.tif 000004
【図３】
2007148927.tif 000005
【図４】
2007148927.tif 000006
【図５】
2007148927.tif 000007
【図６Ａ】
2007148927.tif 000008
【図６Ｂ】
2007148927.tif 000009